(57)【要約】【課題】複数のウェブサイトに分散している画像データを１箇所にまとめて保存するサービスを提供する画像データ保存サービス提供装置を実現する。【解決手段】端末装置から画像データ保存サイトにアクセス要求がなされると、端末装置では画像データを格納することができる画像表示領域が表示される。ショッピングサイト等から画像表示領域に画像データの複写がなされると（ステップＳ４１０）、画像データ保存サイトでは、当該画像データおよびその属性データがデータ記憶部に追加され（ステップＳ３１２）、データ追加後のデータ記憶部からユーザＩＤをキーにしてデータが抽出される（ステップＳ３１４）。さらに、その抽出されたデータに基づく画像が画像表示領域に表示されるよう構造記述言語データが生成される（ステップＳ３１６）。端末装置では、構造記述言語データに基づき、データ追加後の画像が画像表示領域に表示される。【選択図】図１１
2011253287.tif 000002
【特許請求の範囲】
【請求項１】
通信回線を介して接続される端末装置に対して、前記端末装置の画面に表示される画像表示領域に画像データを保存するサービスを提供する画像データ保存サービス提供装置であって、
予め登録されたユーザ識別情報と関連付けて、前記画像データと、前記画像データに関連する属性データとを記憶するデータ記憶部と、
前記端末装置から送信されるユーザ識別情報を受信するユーザ識別情報受信手段と、
前記画像表示領域に画像データを追加する旨の指示を前記端末装置から受け取り、前記画像表示領域に追加されるべき画像データと当該画像データに関連する属性データとを前記ユーザ識別情報受信手段によって受信されたユーザ識別情報と関連付けて前記データ記憶部に追加するデータ追加手段と、
前記ユーザ識別情報受信手段によって受信されたユーザ識別情報に基づいて、前記データ記憶部に記憶されているデータを抽出するデータ抽出手段と、
前記データ抽出手段によって抽出されたデータに基づく画像が前記端末装置において前記画像表示領域に表示されるように、構造記述言語で記述されたデータを生成する画像データ表示用データ生成手段と、
前記画像データ表示用データ生成手段によって生成されたデータを前記端末装置に送信する画像データ表示用データ送信手段と
を備えることを特徴とする、画像データ保存サービス提供装置。
【請求項２】
予め登録された、もしくは、外部から登録され得るキーワードを記憶するキーワード記憶部を更に備え、
前記データ追加手段は、前記画像表示領域に画像データを追加する旨の指示がなされるときに取得されるデータであって構造記述言語で記述されたデータ内に前記キーワードが含まれているときにのみ、前記データ記憶部にデータを追加することを特徴とする、請求項１に記載の画像データ保存サービス提供装置。
【請求項３】
前記キーワード記憶部には、衣料品に関するキーワードが予め登録されていることを特徴とする、請求項２に記載の画像データ保存サービス提供装置。
【請求項４】
前記画像表示領域から画像データを削除する旨の指示を前記端末装置から受け取り、前記ユーザ識別情報受信手段によって受信されたユーザ識別情報に基づいて、前記画像表示領域から削除されるべき画像データと当該画像データに関連する属性データとを前記データ記憶部から削除するデータ削除手段を更に備えることを特徴とする、請求項１から３までのいずれか１項に記載の画像データ保存サービス提供装置。
【請求項５】
前記画像表示領域において各画像データが任意の位置に移動され得ることを特徴とする、請求項１から４までのいずれか１項に記載の画像データ保存サービス提供装置。
【請求項６】
前記データ記憶部は、前記画像データの取得先のウェブサイトのアドレスを更に記憶し、
前記データ追加手段は、前記画像表示領域に画像データを追加する旨の指示を受け取ったときに、前記ユーザ識別情報受信手段によって受信されたユーザ識別情報と関連付けて、当該画像データの取得先のウェブサイトのアドレスを更に前記データ記憶部に追加することを特徴とする、請求項１から請求項５までのいずれか１項に記載の画像データ保存サービス提供装置。
【請求項７】
通信回線を介して接続される端末装置に対して画像データを提供する画像データ提供装置と、前記端末装置および前記画像データ提供装置と通信回線を介して接続され、前記端末装置に対して、前記端末装置の画面に表示される画像表示領域に画像データを保存するサービスを提供する画像データ保存サービス提供装置とからなる画像データ保存サービス提供システムであって、
前記画像データ保存サービス提供装置は、
予め登録されたユーザ識別情報と関連付けて、前記画像データと、前記画像データに関連する属性データと、前記画像データの取得先のウェブサイトのアドレスとを記憶するデータ記憶部と、
前記端末装置から送信されるユーザ識別情報を受信するユーザ識別情報受信手段と、
前記画像表示領域に画像データを追加する旨の指示を前記端末装置から受け取り、前記画像表示領域に追加されるべき画像データと当該画像データに関連する属性データと当該画像データの取得先のウェブサイトのアドレスとを前記ユーザ識別情報受信手段によって受信されたユーザ識別情報と関連付けて前記データ記憶部に追加するデータ追加手段と、
前記ユーザ識別情報受信手段によって受信されたユーザ識別情報に基づいて、前記データ記憶部に記憶されているデータを抽出するデータ抽出手段と、
前記データ抽出手段によって抽出されたデータに基づく画像が前記端末装置において前記画像表示領域に表示されるように、構造記述言語で記述されたデータを生成する画像データ表示用データ生成手段と、
前記画像データ表示用データ生成手段によって生成されたデータを前記端末装置に送信する画像データ表示用データ送信手段と
を備え、
前記画像データ提供装置は、
前記端末装置において前記画像表示領域に含まれる画像データが選択されることによって前記端末装置から前記通信回線を介して接続されたときに、当該画像データの取得先のウェブサイトのアドレスに基づいて当該画像データに係る商品の購入用の画面が前記端末装置において前記画像表示領域に表示されるように、構造記述言語で記述されたデータを生成する商品購入画面用データ生成手段と、
前記商品購入画面用データ生成手段によって生成されたデータを前記端末装置に送信する商品購入画面用データ送信手段と
を備えることを特徴とする、画像データ保存サービス提供システム。
【請求項８】
前記画像データ提供装置は、前記商品購入画面用データ生成手段によって生成されたデータに基づく画面が前記端末装置において前記画像表示領域に表示された後、当該画面において商品の購入がなされたときに、予め定められた課金処理を行う課金処理手段を更に備えることを特徴とする、請求項７に記載の画像データ保存サービス提供システム。
【請求項９】
通信回線を介して接続される端末装置に対して、前記端末装置の画面に表示される画像表示領域に画像データを保存するサービスを提供するコンピュータである画像データ保存サービス提供装置に、
予め登録され前記端末装置から送信されるユーザ識別情報を受信するユーザ識別情報受信ステップと、
前記画像表示領域に画像データを追加する旨の指示を前記端末装置から受け取り、前記画像表示領域に追加されるべき画像データと当該画像データに関連する属性データとを前記ユーザ識別情報受信ステップで受信されたユーザ識別情報と関連付けて、予め設けられたデータ記憶部に追加するデータ追加ステップと、
前記ユーザ識別情報受信ステップで受信されたユーザ識別情報に基づいて、前記データ記憶部に記憶されているデータを抽出するデータ抽出ステップと、
前記データ抽出ステップで抽出されたデータに基づく画像が前記端末装置において前記画像表示領域に表示されるように、構造記述言語で記述されたデータを生成する画像データ表示用データ生成ステップと、
前記画像データ表示用データ生成ステップで生成されたデータを前記端末装置に送信する画像データ表示用データ送信ステップと
を実行させる、プログラム。
【請求項１０】
通信回線を介して接続される端末装置に対して、前記端末装置の画面に表示される画像表示領域に画像データを保存するサービスを提供する画像データ保存サービス提供方法であって、
予め登録され前記端末装置から送信されるユーザ識別情報を受信するユーザ識別情報受信ステップと、
前記画像表示領域に画像データを追加する旨の指示を前記端末装置から受け取り、前記画像表示領域に追加されるべき画像データと当該画像データに関連する属性データとを前記ユーザ識別情報受信ステップで受信されたユーザ識別情報と関連付けて、予め設けられたデータ記憶部に追加するデータ追加ステップと、
前記ユーザ識別情報受信ステップで受信されたユーザ識別情報に基づいて、前記データ記憶部に記憶されているデータを抽出するデータ抽出ステップと、
前記データ抽出ステップで抽出されたデータに基づく画像が前記端末装置において前記画像表示領域に表示されるように、構造記述言語で記述されたデータを生成する画像データ表示用データ生成ステップと、
前記画像データ表示用データ生成ステップで生成されたデータを前記端末装置に送信する画像データ表示用データ送信ステップと
を備えることを特徴とする、画像データ保存サービス提供方法。
【発明の詳細な説明】
【技術分野】
【０００１】
本発明は、複数のウェブサイトからユーザがそれぞれ取得した画像データを１つのウェブサイトにまとめて保存するサービスを提供する画像データ保存サービス提供装置および画像データ保存サービス提供システムに関する。
【背景技術】
【０００２】
近年、多数の企業がインターネット上にウェブサイトを開設し、商品（製品）の紹介やインターネットを介したオンラインでの商品販売が行われている。例えば、衣料品（衣服）を扱うアパレル業界においても、多数のアパレルメーカーがウェブサイトを開設し、当該ウェブサイトで商品の紹介や販売が行われている。特にウェブサイトでの商品販売に関しては、従来の「メーカー（製造業者）〜問屋（卸売業者）〜衣料品店（小売業者）〜消費者」という流通経路に比べて中間業者の介在が少なくなるので、アパレルメーカーにとっては高い利益率を得ることができ、消費者にとっては安く商品を購入することができる。なお、以下の説明においては、コンピュータのオペレーティングシステムにはＷｉｎｄｏｗｓ（登録商標）が採用されているものとする。
【０００３】
ユーザ（ここでの「ユーザ」とは、パーソナルコンピュータよりインターネットを介してメーカーのウェブサイトにアクセスする消費者のことをいう。）がウェブサイト上に気に入った商品を見つけた場合、当該ウェブサイトにて当該商品の購入がすぐに行われることもあるが、他のウェブサイトの商品等の閲覧後に購入の可否の決定が行われることが多い。このため、当該ウェブサイトへの再度のアクセスが容易になるよう、一般的に「お気に入り」，「ブックマーク」などと呼ばれるリンク付けが行われることが多い。このリンク付けをしておくことにより、ユーザは、お気に入りの商品が掲載されているウェブサイトにいつでも比較的容易にアクセスすることが可能となっている。
【０００４】
なお、本件発明に関連して、以下の先行技術文献が知られている。特開２００５−３３９２１４号公報には、インターネットワーク上のサーバをユーザに個人用のアルバム領域（ユーザがデジタルカメラ等で撮影することによって得られた画像データを蓄積するための領域）として提供するオンラインアルバムシステムについての発明が開示されている。
【先行技術文献】
【特許文献】
【０００５】
【特許文献１】特開２００５−３３９２１４号公報
【発明の概要】
【発明が解決しようとする課題】
【０００６】
ところが、従来、各商品の提供元の異なる複数の商品についてユーザが購入あるいは情報の閲覧をしようとすると、ユーザは各商品の提供元のウェブサイトにそれぞれアクセスしなければならなかった。例えば、衣料品に関して、ユーザが「Ａ社のシャツとＢ社のスカートとＣ社の靴下」の購入を検討する際、既に上述したリンク付けがなされていても、ユーザはＡ社のウェブサイトとＢ社のウェブサイトとＣ社のウェブサイトとにアクセスする必要がある。そのため、ユーザは、それら複数の商品の組み合わせ（コーディネート）がどのようなものになるのかを把握することが困難である。特に衣料品のような複数の商品の組み合わせが重視されるものについては、当該組み合わせが容易に（画像として）視認されることが好ましい。
【０００７】
そこで、本発明は、複数のウェブサイトに分散している画像データを１箇所にまとめて保存するサービスを提供する画像データ保存サービス提供装置および画像データ保存サービス提供システムを実現することを目的とする。
【課題を解決するための手段】
【０００８】
第１の発明は、通信回線を介して接続される端末装置に対して、前記端末装置の画面に表示される画像表示領域に画像データを保存するサービスを提供する画像データ保存サービス提供装置であって、
予め登録されたユーザ識別情報と関連付けて、前記画像データと、前記画像データに関連する属性データとを記憶するデータ記憶部と、
前記端末装置から送信されるユーザ識別情報を受信するユーザ識別情報受信手段と、
前記画像表示領域に画像データを追加する旨の指示を前記端末装置から受け取り、前記画像表示領域に追加されるべき画像データと当該画像データに関連する属性データとを前記ユーザ識別情報受信手段によって受信されたユーザ識別情報と関連付けて前記データ記憶部に追加するデータ追加手段と、
前記ユーザ識別情報受信手段によって受信されたユーザ識別情報に基づいて、前記データ記憶部に記憶されているデータを抽出するデータ抽出手段と、
前記データ抽出手段によって抽出されたデータに基づく画像が前記端末装置において前記画像表示領域に表示されるように、構造記述言語で記述されたデータを生成する画像データ表示用データ生成手段と、
前記画像データ表示用データ生成手段によって生成されたデータを前記端末装置に送信する画像データ表示用データ送信手段と
を備えることを特徴とする。
【０００９】
第２の発明は、第１の発明において、
予め登録された、もしくは、外部から登録され得るキーワードを記憶するキーワード記憶部を更に備え、
前記データ追加手段は、前記画像表示領域に画像データを追加する旨の指示がなされるときに取得されるデータであって構造記述言語で記述されたデータ内に前記キーワードが含まれているときにのみ、前記データ記憶部にデータを追加することを特徴とする。
【００１０】
第３の発明は、第２の発明において、
前記キーワード記憶部には、衣料品に関するキーワードが予め登録されていることを特徴とする。
【００１１】
第４の発明は、第１から第３までのいずれかの発明において、
前記画像表示領域から画像データを削除する旨の指示を前記端末装置から受け取り、前記ユーザ識別情報受信手段によって受信されたユーザ識別情報に基づいて、前記画像表示領域から削除されるべき画像データと当該画像データに関連する属性データとを前記データ記憶部から削除するデータ削除手段を更に備えることを特徴とする。
【００１２】
第５の発明は、第１から第４までのいずれかの発明において、
前記画像表示領域において各画像データが任意の位置に移動され得ることを特徴とする。
【００１３】
第６の発明は、第１から第５までのいずれかの発明において、
前記データ記憶部は、前記画像データの取得先のウェブサイトのアドレスを更に記憶し、
前記データ追加手段は、前記画像表示領域に画像データを追加する旨の指示を受け取ったときに、前記ユーザ識別情報受信手段によって受信されたユーザ識別情報と関連付けて、当該画像データの取得先のウェブサイトのアドレスを更に前記データ記憶部に追加することを特徴とする。
【００１４】
第７の発明は、通信回線を介して接続される端末装置に対して画像データを提供する画像データ提供装置と、前記端末装置および前記画像データ提供装置と通信回線を介して接続され、前記端末装置に対して、前記端末装置の画面に表示される画像表示領域に画像データを保存するサービスを提供する画像データ保存サービス提供装置とからなる画像データ保存サービス提供システムであって、
前記画像データ保存サービス提供装置は、
予め登録されたユーザ識別情報と関連付けて、前記画像データと、前記画像データに関連する属性データと、前記画像データの取得先のウェブサイトのアドレスとを記憶するデータ記憶部と、
前記端末装置から送信されるユーザ識別情報を受信するユーザ識別情報受信手段と、
前記画像表示領域に画像データを追加する旨の指示を前記端末装置から受け取り、前記画像表示領域に追加されるべき画像データと当該画像データに関連する属性データと当該画像データの取得先のウェブサイトのアドレスとを前記ユーザ識別情報受信手段によって受信されたユーザ識別情報と関連付けて前記データ記憶部に追加するデータ追加手段と、
前記ユーザ識別情報受信手段によって受信されたユーザ識別情報に基づいて、前記データ記憶部に記憶されているデータを抽出するデータ抽出手段と、
前記データ抽出手段によって抽出されたデータに基づく画像が前記端末装置において前記画像表示領域に表示されるように、構造記述言語で記述されたデータを生成する画像データ表示用データ生成手段と、
前記画像データ表示用データ生成手段によって生成されたデータを前記端末装置に送信する画像データ表示用データ送信手段と
を備え、
前記画像データ提供装置は、
前記端末装置において前記画像表示領域に含まれる画像データが選択されることによって前記端末装置から前記通信回線を介して接続されたときに、当該画像データの取得先のウェブサイトのアドレスに基づいて当該画像データに係る商品の購入用の画面が前記端末装置において前記画像表示領域に表示されるように、構造記述言語で記述されたデータを生成する商品購入画面用データ生成手段と、
前記商品購入画面用データ生成手段によって生成されたデータを前記端末装置に送信する商品購入画面用データ送信手段と
を備えることを特徴とする。
【００１５】
第８の発明は、第７の発明において、
前記画像データ提供装置は、前記商品購入画面用データ生成手段によって生成されたデータに基づく画面が前記端末装置において前記画像表示領域に表示された後、当該画面において商品の購入がなされたときに、予め定められた課金処理を行う課金処理手段を更に備えることを特徴とする。
【００１６】
第９の発明は、通信回線を介して接続される端末装置に対して、前記端末装置の画面に表示される画像表示領域に画像データを保存するサービスを提供するコンピュータである画像データ保存サービス提供装置に、
予め登録され前記端末装置から送信されるユーザ識別情報を受信するユーザ識別情報受信ステップと、
前記画像表示領域に画像データを追加する旨の指示を前記端末装置から受け取り、前記画像表示領域に追加されるべき画像データと当該画像データに関連する属性データとを前記ユーザ識別情報受信ステップで受信されたユーザ識別情報と関連付けて、予め設けられたデータ記憶部に追加するデータ追加ステップと、
前記ユーザ識別情報受信ステップで受信されたユーザ識別情報に基づいて、前記データ記憶部に記憶されているデータを抽出するデータ抽出ステップと、
前記データ抽出ステップで抽出されたデータに基づく画像が前記端末装置において前記画像表示領域に表示されるように、構造記述言語で記述されたデータを生成する画像データ表示用データ生成ステップと、
前記画像データ表示用データ生成ステップで生成されたデータを前記端末装置に送信する画像データ表示用データ送信ステップと
を実行させる、プログラムである。
【００１７】
第１０の発明は、通信回線を介して接続される端末装置に対して、前記端末装置の画面に表示される画像表示領域に画像データを保存するサービスを提供する画像データ保存サービス提供方法であって、
予め登録され前記端末装置から送信されるユーザ識別情報を受信するユーザ識別情報受信ステップと、
前記画像表示領域に画像データを追加する旨の指示を前記端末装置から受け取り、前記画像表示領域に追加されるべき画像データと当該画像データに関連する属性データとを前記ユーザ識別情報受信ステップで受信されたユーザ識別情報と関連付けて、予め設けられたデータ記憶部に追加するデータ追加ステップと、
前記ユーザ識別情報受信ステップで受信されたユーザ識別情報に基づいて、前記データ記憶部に記憶されているデータを抽出するデータ抽出ステップと、
前記データ抽出ステップで抽出されたデータに基づく画像が前記端末装置において前記画像表示領域に表示されるように、構造記述言語で記述されたデータを生成する画像データ表示用データ生成ステップと、
前記画像データ表示用データ生成ステップで生成されたデータを前記端末装置に送信する画像データ表示用データ送信ステップと
を備えることを特徴とする。
【発明の効果】
【００１８】
上記第１の発明によれば、画像データ保存サービス提供装置には画像データとそれに関連する属性データとを記憶するデータ記憶部が設けられており、端末装置からの指示に基づいてデータ記憶部へのデータの追加が行われる。また、画像データ保存サービス提供装置では、データ記憶部から抽出されたデータに基づく画像が端末装置において画像表示領域に表示されるように、構造記述言語で記述されたデータが生成される。そして、構造記述言語で記述されたデータは、画像データ保存サービス提供装置から端末装置に送信される。このため、端末装置では、様々なショッピングサイト等から複写した画像データを画像表示領域に蓄積することが可能となる。これにより、ユーザは、複数のショッピングサイト等に分散している画像データを１箇所にまとめて保存・閲覧することが可能となる。
【００１９】
上記第２の発明によれば、画像表示領域に表示可能とする商品を特定するためのキーワードを登録しておくことにより、予め指定された商品についての画像データのみが画像表示領域に格納され得るようにすることができる。
【００２０】
上記第３の発明によれば、衣料品についての画像データのみが画像表示領域に格納され得るようにすることができる。
【００２１】
上記第４の発明によれば、画像表示領域に表示されている画像データを削除することが可能となっている。このため、ユーザは常に、必要な画像データのみを画像表示領域に表示させることが可能となる。また、データ記憶部に不必要に画像データが蓄積されることを抑制することができる。
【００２２】
上記第５の発明によれば、ユーザは、画像表示領域において画像データを自由に移動させることができる。このため、互いに関連のある複数の商品についての画像データを例えば近い位置に配置させることが可能となる。これにより、ユーザに複数の商品の組み合わせについての見栄えを容易に確認させることが可能となる。
【００２３】
上記第６の発明によれば、画像表示領域に画像データが追加された際、当該画像データの取得先のウェブサイトのアドレスがデータ記憶部に格納される。このため、画像表示領域の画像データと当該画像データの提供元のウェブサイトのアドレスとを関連付けることが可能となる。これにより、ユーザは、複数の画像データのそれぞれの提供元のウェブサイトに１つの画像表示領域からアクセスすることが可能となる。
【００２４】
上記第７の発明によれば、上記第１の発明と同様の効果を当該システムの発明において奏することができる。また、端末装置において画像表示領域の画像データが選択されたときには、当該画像データに係る商品を購入することのできるショッピングサイトの画面が端末装置に表示される。これにより、ユーザは、購入を希望する複数の商品のそれぞれのショッピングサイトに１つの画像表示領域からアクセスすることが可能となる。
【００２５】
上記第８の発明によれば、端末装置から商品の購入（ショッピング）が行われると、予め定められた課金処理が行われる。このため、例えば、ショッピングが成立したときにショッピングサイトの提供者から画像データ保存サービス提供システムの提供者に手数料が支払われるようにすることができる。これにより、画像データ保存サービス提供システムの提供者は、当該システムを介したショッピングに基づく収益を得ることが可能となる。
【００２６】
上記第９の発明によれば、上記第１の発明と同様の効果を当該プログラムの発明において奏することができる。
【００２７】
上記第１０の発明によれば、上記第１の発明と同様の効果を当該方法の発明において奏することができる。
【図面の簡単な説明】
【００２８】
【図１】本発明の第１の実施形態に係る画像データ保存サービス提供装置およびそれに関連する装置の構成を示すブロック図である
【図２】上記第１の実施形態において、端末装置が画像データ保存サイトにアクセスしたときに当該端末装置の表示部に表示されるブラウザ画面の一例を示す図である。
【図３】上記第１の実施形態において、画像表示領域の表示例を示す図である。
【図４】上記第１の実施形態において、画像データ保存サイトのウェブサーバの概略構成を示すブロック図である。
【図５】上記第１の実施形態において、画像データ保存サービス提供装置の機能的な構成を示すブロック図である。
【図６】上記第１の実施形態における画像情報テーブルのレイアウト図である。
【図７】上記第１の実施形態において、画像情報テーブルに格納されるデータの一例を示す図である。
【図８】上記第１の実施形態において、端末装置から画像データ保存サイトにアクセス要求がなされた際の画像データ保存サービス提供装置の処理手順を、端末装置における処理手順とともに示すフローチャートである。
【図９】上記第１の実施形態におけるログイン画面の一例を示す図である。
【図１０】上記第１の実施形態において、画像表示領域の表示例を示す図である。
【図１１】上記第１の実施形態において、端末装置から画像データ保存サイトに画像データの追加要求がなされた際の画像データ保存サービス提供装置の処理手順を、端末装置における処理手順とともに示すフローチャートである。
【図１２】上記第１の実施形態において、画像表示領域への画像データの追加について説明するための図である。
【図１３】上記第１の実施形態において、画像表示領域に画像データが追加された際の当該画像データの配置について説明するための図である。
【図１４】上記第１の実施形態において、端末装置から画像データ保存サイトに画像データの削除要求がなされた際の画像データ保存サービス提供装置の処理手順を、端末装置における処理手順とともに示すフローチャートである。
【図１５】上記第１の実施形態の変形例について説明するための図である。
【図１６】本発明の第２の実施形態における画像情報テーブルのレイアウト図である。
【図１７】上記第２の実施形態において、端末装置において画像表示領域内の画像データが選択された際のショッピングサイトのウェブサーバの処理手順を、端末装置における処理手順とともに示すフローチャートである。
【図１８】上記第２の実施形態において、端末装置において画像表示領域内の画像データが選択された際の画像データ保存サービス提供装置の処理手順を、端末装置における処理手順とともに示すフローチャートである。
【発明を実施するための形態】
【００２９】
以下、添付図面を参照しつつ本発明の実施形態について説明する。
【００３０】
＜１．第１の実施形態＞
＜１．１  全体構成および動作＞
図１は、本発明の第１の実施形態に係る画像データ保存サービス提供装置１００およびそれに関連する装置の構成を示すブロック図である。この画像データ保存サービス提供装置１００は、ウェブサーバ１１０とデータベースサーバ１２０とからなり、複数のウェブサイトからユーザがそれぞれ取得した画像データをまとめて保存・表示することのできるウェブサイト（以下「画像データ保存サイト」という。）をインターネット４上に提供する。また、図１に示すように、商品の購入が可能なショッピングサイトをユーザに提供する複数のウェブサーバ２００およびユーザによって利用される複数の端末装置３００がインターネット４に接続されている。なお、ウェブサーバ２００が画像データ提供装置に相当する。
【００３１】
図２は、端末装置３００が画像データ保存サイトにアクセスしたときに当該端末装置３００の表示部に表示されるブラウザ画面（ウェブサイト閲覧用のソフトウェアであるウェブブラウザによって表示される画面）３２０の一例を示す図である。このブラウザ画面３２０には、ユーザが画像データを蓄積してそれを表示するための画像表示領域３３０が含まれている。この画像表示領域３３０には、例えば図３に示すように、商品の画像データが当該商品の商品名および価格とともに表示される。なお、商品の画像データとともに表示される内容については、商品名および価格には限定されない。
【００３２】
画像データ保存サービス提供装置１００は、上述したように、ウェブサーバ１１０とデータベースサーバ１２０とを備えている。なお、これらの装置は、例えばＩＥＥＥ８０２．３に準拠するような所定のローカルエリアネットワーク（ＬＡＮ）を介して互いに接続される。なおこれらの装置の一方または両者は、専用のハードウェアであっても良いし、これらの機能を実現するためのソフトウェアがインストールされたコンピュータであっても良い。またこれらの機能の全てが１つのコンピュータにより実現されていても良い。
【００３３】
ウェブサーバ１１０は、端末装置３００からの処理要求に応じて、ショッピングサイトのウェブサーバ２００によってインターネット４上に公開されている画像データをデータベースサーバ１２０に蓄積するとともに、ユーザ毎にデータベースサーバ１２０に蓄積されている画像データを端末装置３００の表示部にまとめて表示させる。端末装置３００の表示部への画像データの表示については、詳しくは、所望の画像データの表示が行われるように構造記述言語で記述されたデータがウェブサーバ１１０から端末装置３００に送信されることによって行われる。なお、構造記述言語としては、例えばＨＴＭＬ（Hyper Text Markup Language）が知られている。
【００３４】
データベースサーバ１２０は、ウェブサーバ１１０から受け取った画像データを、ユーザを識別するためのデータであるユーザＩＤと関連付けて蓄積し、また蓄積されている画像データをウェブサーバ１１０からの要求に応じて出力する。なお、本実施形態においては、このユーザＩＤによってユーザ識別情報が実現されている。
【００３５】
図４は、ウェブサーバ１１０の概略構成を示すブロック図である。図４に示すように、このウェブサーバ１１０は、各種演算を行い各種機能を実現するＣＰＵ（制御部）１１４と、この各種機能を実現するためにＣＰＵ１１４により実行されるプログラムが展開されるＲＡＭ１１５と、ＣＰＵ１１４により実行される後述するプログラムや各種データが記憶されるハードディスクドライブ（ＨＤＤ）１１６と、外部とのデータの送受信を行うネットワークインタフェース（ネットワークＩ／Ｆ）１１７と、液晶パネルやＣＲＴ等からなる表示装置（表示部）１１１と、キーボードおよびマウス等からなる入力装置１１２と、ＤＶＤ−ＲＯＭ駆動装置１１３とを備えている。なお、図４に示すウェブサーバ１１０の構成は一般的なコンピュータの構成と同一であるので詳しい説明は省略する。データベースサーバ１２０，ショッピングサイトのウェブサーバ２００，および端末装置３００の構成についても同様である。
【００３６】
＜１．２  画像データ保存サービス提供装置の機能構成＞
図５は、画像データ保存サービス提供装置１００の機能的な構成を示すブロック図である。図５に示すように、この画像データ保存サービス提供装置１００は、機能的には、端末装置３００から送られるユーザＩＤを受け取るユーザＩＤ受信部（ユーザ識別情報受信手段）１３１と、画像データやそれに関連する属性データを記憶するデータ記憶部１３２と、ユーザＩＤをキーにしてデータ記憶部１３２より画像データおよび属性データを抽出（検索）するデータ抽出部１３３と、端末装置３００から送られる追加指示に基づいてデータ記憶部１３２に画像データおよび属性データを追加するデータ追加部１３４と、端末装置３００から送られる削除指示に基づいてデータ記憶部１３２から画像データおよび属性データを削除するデータ削除部１３５と、データ抽出部１３３によって抽出されたデータに基づく画像が端末装置３００においてブラウザ画面３２０の画像表示領域３３０に表示されるように構造記述言語で記述されたデータ（以下「構造記述言語データ」という。）（例えばＨＴＭＬファイル）を生成する構造記述言語データ生成部（画像データ表示用データ生成手段）１３６と、構造記述言語データを端末装置３００に送信するデータ送信部（画像データ表示用データ送信手段）１３７とを備えている。
【００３７】
なお、図５に示されるこれらの構成要素の機能（但し、データ記憶部１３２を除く）は、典型的にはＲＡＭ１１５に展開された所定のプログラムをＣＰＵ１１４が実行することにより実現される。ここで、上記プログラムは、例えば、そのプログラムを記録した記録媒体であるＤＶＤ−ＲＯＭによって提供される。すなわち、上記プログラムの記録媒体としてのＤＶＤ−ＲＯＭが補助記憶装置として内蔵されたＤＶＤ−ＲＯＭ駆動装置１１３に装着され、そのＤＶＤ−ＲＯＭから上記プログラムが読み出されてＨＤＤ１１６（もしくはその他の記憶装置）に記憶（典型的にはインストール）される。また、上記プログラムは、ＤＶＤ−ＲＯＭ以外の記録媒体や通信回線を介して提供されてもよい。そして、例えばウェブサーバ１１０の起動のための所定操作がなされると、ＨＤＤ１１６にインストールされた所定プログラムは、上記ＲＡＭ１１５に転送されてそこに展開され（一時的に格納され）、ＣＰＵ１１４によって実行される。これにより、ウェブサーバ１１０およびデータベースサーバ１２０の制御処理が実現される。
【００３８】
図６は、データ記憶部１３２の一部を構成する（データベースの）テーブル（以下「画像情報テーブル」という。）１４１のレイアウト図である。画像情報テーブル１４１には、項目名をそれぞれ「ユーザＩＤ」、「画像データ格納先」、「商品名」、および「価格」とする複数の項目が含まれている。画像情報テーブル１４１の各項目のフィールド（個々のデータが格納される領域）には、それぞれ以下のような内容のデータが格納される。「ユーザＩＤ」には、ユーザを識別するための一意の番号が格納される。「画像データ格納先」には、画像データの格納先を示す情報が例えばフルパス名で格納される。「商品名」には、画像データによって表示される商品の名称が格納される。「価格」には、画像データによって表示される商品の価格が格納される。この画像情報テーブル１４１には、例えば図７に示すようなデータが格納される。なお、本実施形態においては、この画像情報テーブル１４１と、画像データが格納される領域（例えばフォルダ）とによってデータ記憶部が実現されている。
【００３９】
＜１．３  アクセス要求がなされた際の画像データ保存サービス提供装置の動作＞
図８は、端末装置３００から画像データ保存サイトにアクセス要求がなされた際の画像データ保存サービス提供装置１００の処理手順を、端末装置３００における処理手順とともに示すフローチャートである。なお、図８では、データの送受信関係が明確に示されるように、端末装置３００および画像データ保存サービス提供装置１００におけるそれぞれの処理手順が並列的に記載されており、処理要求を含むデータの送信方向には点線の矢印が付されている。
【００４０】
まず、任意のタイミングで、端末装置３００から画像データ保存サイトへのアクセス要求が行われる（ステップＳ２１０）。これにより、画像データ保存サービス提供装置１００では、端末装置３００からのアクセス要求が受け付けられる（ステップＳ１１０）。そして、画像データ保存サービス提供装置１００では、端末装置３００の表示部にログイン画面を表示させるための構造記述言語データが構造記述言語データ生成部１３６によって生成され（ステップＳ１１２）、当該構造記述言語データがデータ送信部１３７によって端末装置３００に送信される（ステップＳ１２０）。
【００４１】
画像データ保存サービス提供装置１００から端末装置３００に構造記述言語データが送られると、端末装置３００では、当該構造記述言語データに基づいて、例えば図９に示すようなログイン画面３４０が表示部に表示される（ステップＳ２２０）。図９に示すように、このログイン画面３４０には、ユーザＩＤを入力するためのテキストボックス３４１と入力内容を確定するためのボタン（以下「ＯＫボタン」という。）３４２とが含まれている。ログイン画面３４０において、ユーザは、ユーザＩＤをテキストボックス３４１に入力してＯＫボタン３４２をマウスで押下する（ステップＳ２３０）。ところで、画像データ保存サイトが提供するサービスをユーザが受けるためには、ユーザを識別するためのユーザＩＤが予め画像データ保存サイトに登録されていなければならない。このようなユーザＩＤを登録する手法については周知であるため、ここでは説明を省略する。なお、ユーザＩＤとともにパスワードをも登録しておき、端末装置３００から画像データ保存サービス提供装置１００に送られたユーザＩＤが登録済みのものであってパスワードも正しい場合にのみ、画像データ保存サイトが提供するサービスの利用をユーザに許可するようにしても良い。
【００４２】
ステップＳ１３０では、端末装置３００から画像データ保存サービス提供装置１００に送られるユーザＩＤがユーザＩＤ受信部１３１によって受信される。そして、画像データ保存サービス提供装置１００では、データ抽出部１３３によって、ユーザＩＤをキーにしてデータ記憶部１３２より画像データと属性データとが抽出される（ステップＳ１３２）。詳しくは、ユーザＩＤをキーにして画像情報テーブル１４１よりレコードが抽出され、その抽出されたレコードに基づいて、画像データと商品名のデータと価格のデータとが取得される。その後、画像データ保存サービス提供装置１００では、端末装置３００において画像表示領域３３０にステップＳ１３２で抽出されたデータに基づく画像を表示させるための構造記述言語データが構造記述言語データ生成部１３６によって生成され（ステップＳ１３４）、当該構造記述言語データがデータ送信部１３７によって端末装置３００に送信される（ステップＳ１４０）。
【００４３】
画像データ保存サービス提供装置１００から端末装置３００に構造記述言語データが送られると、端末装置３００では、当該構造記述言語データに基づいて、画像表示領域３３０に画像データおよびその属性データ（商品名および価格）が表示される（ステップＳ２４０）。例えば、ステップＳ２３０でテキストボックス３４１に入力されたユーザＩＤが「ＡＢ００１」であって、画像情報テーブル１４１の内容が図７に示すようなものである場合、画像表示領域３３０には図１０に示すように２つの画像データとそれらの属性データとが表示される。
【００４４】
以上のようにして、端末装置３００から画像データ保存サイトにアクセス要求がなされると、画像データ保存サービス提供装置１００では、ユーザＩＤに基づいてデータ記憶部１３２からのデータの抽出が行われ、当該データに基づく画像が端末装置３００で表示されるように構造記述言語データが生成される。その構造記述言語データは画像データ保存サービス提供装置１００から端末装置３００に送信され、端末装置３００では画像表示領域３３０に画像データおよびその属性データが表示される。
【００４５】
なお、上記処理に関しては、ステップＳ１３０によってユーザ識別情報受信ステップが実現され、ステップＳ１３２によってデータ抽出ステップが実現され、ステップＳ１３４によって画像データ表示用データ生成ステップが実現され、ステップＳ１４０によって画像データ表示用データ送信ステップが実現されている。
【００４６】
＜１．４  画像データの追加要求がなされた際の画像データ保存サービス提供装置の動作＞
図１１は、端末装置３００から画像データ保存サイトに画像データの追加要求がなされた際の画像データ保存サービス提供装置１００の処理手順を、端末装置３００における処理手順とともに示すフローチャートである。
【００４７】
ステップＳ４１０において、端末装置３００から画像データ保存サイトへの画像データの追加要求が行われる。具体的には、端末装置３００において、ユーザによって次のようなオペレーションが行われる（図１２参照）。ユーザは、表示部３１０に２つのブラウザ画面３２０ａ，３２０ｂを表示させる。ユーザは、一方のブラウザ画面３２０ａから画像データ保存サイトにアクセスするとともに、他方のブラウザ画面３２０ｂからショッピングサイトの１つにアクセスする。画像データ保存サイトの画面およびショッピングサイトの画面の双方が表示部３１０に表示されている状態において、ユーザは、ショッピングサイトの画面に表示されている画像データの１つを画像データ保存サイトの画面内の画像表示領域３３０に複写（コピー）する。なお、上記オペレーションは一例であって、それ以外のオペレーションによって画像データ保存サイトへの画像データの追加要求が行われても良い。
【００４８】
端末装置３００から画像データ保存サイトへの画像データの追加要求がなされると、当該追加要求が画像データ保存サービス提供装置１００で受け付けられる（ステップＳ３１０）。なお、端末装置３００のブラウザ画面における画像表示は構造記述言語データに基づくものであるので、端末装置３００は、画像表示領域３３０に追加すべき画像データのみならず、当該画像データに関連する属性データをもショッピングサイトのウェブサーバ２００から取得することができる。従って、画像データと属性データとを上記追加要求に含めることが可能となっている。
【００４９】
画像データ保存サービス提供装置１００では、追加要求の受け付け後、画像表示領域３３０に追加されるべき画像データと当該画像データに関連する属性データとを図８のステップＳ１３０で取得したユーザＩＤと関連付けてデータ記憶部１３２に追加する処理が、データ追加部１３４によって行われる（ステップＳ３１２）。そして、画像データ保存サービス提供装置１００では、データ抽出部１３３によって、ステップＳ３１２におけるデータ追加後のデータ記憶部１３２よりユーザＩＤをキーにして画像データと属性データとが抽出される（ステップＳ３１４）。詳しくは、図８のステップＳ１３２と同様、ユーザＩＤをキーにして画像情報テーブル１４１よりレコードが抽出され、その抽出されたレコードに基づいて、画像データと商品名のデータと価格のデータとが取得される。その後、画像データ保存サービス提供装置１００では、端末装置３００において画像表示領域３３０にステップＳ３１４で抽出されたデータに基づく画像を表示させるための構造記述言語データが構造記述言語データ生成部１３６によって生成され（ステップＳ３１６）、当該構造記述言語データがデータ送信部１３７によって端末装置３００に送信される（ステップＳ３２０）。
【００５０】
画像データ保存サービス提供装置１００から端末装置３００に構造記述言語データが送られると、端末装置３００では、当該構造記述言語データに基づいて、画像表示領域３３０に画像データおよびその属性データ（商品名および価格）が表示される。なお、例えば図１２に示したように画像表示領域３３０への画像データの追加が行われたとき、図１３（ａ）に示すように、画像表示領域３３０内で画像データが所定の規則に基づいて整列して表示されるようにしても良いし、図１３（ｂ）に示すように、ユーザが画像データを複写するオペレーションとして「ドラッグａｎｄドロップ」をした際のドロップした位置に当該画像データが表示されるようにしても良い。
【００５１】
以上のように、端末装置３００から画像データ保存サイトに画像データの追加要求がなされると、画像データ保存サービス提供装置１００では、追加要求がなされた画像データおよびその属性データについてのデータ記憶部１３２への追加が行われ、その後、画像データ追加後の画像が端末装置３００で表示されるように構造記述言語データが生成される。端末装置３００では、画像データ保存サービス提供装置１００で生成された構造記述言語データに基づいて、データ追加後の画像データおよびその属性データが画像表示領域３３０に表示される。
【００５２】
なお、上記処理に関しては、ステップＳ３１０，Ｓ３１２によってデータ追加ステップが実現され、ステップＳ３１４によってデータ抽出ステップが実現され、ステップＳ３１６によって画像データ表示用データ生成ステップが実現され、ステップＳ３２０によって画像データ表示用データ送信ステップが実現されている。
【００５３】
＜１．５  画像データの削除要求がなされた際の画像データ保存サービス提供装置の動作＞
図１４は、端末装置３００から画像データ保存サイトに画像データの削除要求がなされた際の画像データ保存サービス提供装置１００の処理手順を、端末装置３００における処理手順とともに示すフローチャートである。
【００５４】
ステップＳ６１０において、端末装置３００から画像データ保存サイトへの画像データの削除要求が行われる。具体的には、端末装置３００において、画像表示領域３３０に含まれる画像データがユーザによって選択（例えばマウスをクリックすることによる選択）され、その選択された画像データを削除する操作が行われる。
【００５５】
端末装置３００から画像データ保存サイトへの画像データの削除要求がなされると、当該削除要求が画像データ保存サービス提供装置１００で受け付けられる（ステップＳ５１０）。画像データ保存サービス提供装置１００では、削除要求の受け付け後、画像表示領域３３０から削除されるべき画像データと当該画像データに関連する属性データとを図８のステップＳ１３０で取得したユーザＩＤに基づいてデータ記憶部１３２から削除する処理がデータ削除部１３５によって行われる（ステップＳ５１２）。そして、画像データ保存サービス提供装置１００では、データ抽出部１３３によって、ステップＳ５１２におけるデータ削除後のデータ記憶部１３２よりユーザＩＤをキーにして画像データと属性データとが抽出される（ステップＳ５１４）。詳しくは、図８のステップＳ１３２と同様、ユーザＩＤをキーにして画像情報テーブル１４１よりレコードが抽出され、その抽出されたレコードに基づいて、画像データと商品名のデータと価格のデータとが取得される。その後、画像データ保存サービス提供装置１００では、端末装置３００において画像表示領域３３０にステップＳ５１４で抽出されたデータに基づく画像を表示させるための構造記述言語データが構造記述言語データ生成部１３６によって生成され（ステップＳ５１６）、当該構造記述言語データがデータ送信部１３７によって端末装置３００に送信される（ステップＳ５２０）。
【００５６】
画像データ保存サービス提供装置１００から端末装置３００に構造記述言語データが送られると、端末装置３００では、当該構造記述言語データに基づいて、画像表示領域３３０に画像データおよびその属性データ（商品名および価格）が表示される。なお、画像表示領域３３０内の全ての画像データが削除されたときには、図２に示すような画面が表示される。
【００５７】
以上のように、端末装置３００から画像データ保存サイトに画像データの削除要求がなされると、画像データ保存サービス提供装置１００では、削除要求がなされた画像データおよびその属性データについてのデータ記憶部１３２からの削除が行われ、その後、画像データ削除後の画像が端末装置３００で表示されるように構造記述言語データが生成される。端末装置３００では、画像データ保存サービス提供装置１００で生成された構造記述言語データに基づいて、データ削除後の画像データおよびその属性データが画像表示領域３３０に表示される。
【００５８】
＜１．６  効果＞
以上のように、本実施形態によれば、ユーザが端末装置３００から画像データ保存サイトにアクセスすると、当該端末装置３００の表示部には画像データの蓄積が可能な画像表示領域３３０を含むブラウザ画面３２０が表示される。画像表示領域３３０には任意のショッピングサイトの画面に表示されている画像データを複写することが可能となっており、画像データの複写後には、その複写対象の画像データが、既に蓄積されている画像データとともに画像表示領域３３０に表示される。以上より、ユーザは、画像データ保存サイトによって提供される画像表示領域３３０を用いて、複数のショッピングサイトに分散している画像データを１箇所にまとめて保存・閲覧することが可能となる。
【００５９】
また、本実施形態によれば、画像表示領域３３０に表示されている画像データを削除することが可能となっている。このため、ユーザは常に、必要な画像データのみを画像表示領域３３０に表示させることが可能となる。また、画像データ保存サイトにおいては、データ記憶部１３２に不必要に画像データが蓄積されることが抑制される。
【００６０】
＜１．７  変形例＞
上記実施形態においては、ユーザは画像表示領域３３０への画像データの追加および画像表示領域３３０からの画像データの削除を行うことができるが、さらに、画像表示領域３３０内でユーザが画像データを任意の位置に移動できるようにしても良い。例えば、複数の商品についての画像データが図１５（ａ）に示すように画像表示領域３３０に表示されていると仮定する。このような表示状態であると、符号３６で示す画像データに係る商品であるシャツと符号３７で示す画像データに係る商品であるスカートとの組み合わせ（コーディネート）がどのようなものになるのかを把握することは、ユーザにとっては困難である。これに対して、任意の位置への画像データの移動が可能であれば、ユーザは、シャツの画像データおよびスカートの画像データを例えば図１５（ｂ）に示すように移動させることができる。これにより、シャツとスカートとの組み合わせがどのようなものになるのかをユーザは容易に把握することができる。以上のように、任意の位置への画像データの移動を可能とすることによって、ユーザに複数の商品の組み合わせについての見栄えを容易に確認させることが可能となる。
【００６１】
また、上記実施形態においては、画像表示領域３３０に格納され得る画像データは限定されていないが、予め指定された商品についての画像データのみが画像表示領域３３０に格納され得るようにしても良い。これを実現するためには、例えば、商品を指定するためのキーワードを格納（記憶）するキーワード記憶部が、画像データ保存サービス提供装置１００に設けられると良い。典型的には、キーワード記憶部には複数のキーワードの登録が可能となっている。キーワードの登録については、予め登録しておくようにしても良いし、必要に応じて外部から登録することができるようにしても良い。例えば衣料品に関する画像データのみが画像表示領域３３０に格納され得るようにするためには、画像データ保存サイトの提供者は、「シャツ」，「スーツ」，「ネクタイ」など衣料品に関する名称を予めキーワード記憶部に登録しておく。また、端末装置３００から画像データ保存サイトに画像データの追加要求がなされた際に、端末装置３００および画像データ保存サービス提供装置１００において以下の処理が行われるようにする。端末装置３００においてユーザがショッピングサイトから画像表示領域３３０に画像データを複写しようとした時に、当該画像データを表示するための構造記述言語データを端末装置３００から画像データ保存サービス提供装置１００に送信する。画像データ保存サービス提供装置１００では、データ追加部１３４が、キーワード記憶部に登録されているキーワードが端末装置３００から送られた構造記述言語データに含まれているか否かを判定する。そして、キーワードが構造記述言語データに含まれている場合にのみ、データ追加部１３４は、当該画像データおよびその属性データをデータ記憶部１３２に追加する。以上のようにして、予め指定された商品についての画像データのみが画像表示領域３３０に格納され得るようにすることができる。
【００６２】
＜２．第２の実施形態＞
＜２．１  概要＞
次に、本発明の第２の実施形態について説明する。本実施形態においては、端末装置３００でユーザが画像表示領域３３０内の画像データを選択（例えばマウスをクリックすることによる選択）すると、当該画像データに係る商品を購入することのできるショッピングサイトの画面が端末装置３００の表示部に表示される。そして、ユーザはそのショッピングサイトの画面より当該商品をオンラインで購入することが可能となっている。また、ユーザが画像データ保存サイトからショッピングサイトにアクセスして商品を購入したときには、ショッピングサイトの提供者（例えばアパレルメーカー）から画像データ保存サイトの提供者に予め定められた手数料が支払われるよう課金処理が行われる。なお、上記の処理を実現するために、画像データ保存サイトの提供者は予めショッピングサイトの提供者と提携しておく。
【００６３】
＜２．２  構成＞
全体構成（図１参照），ウェブサーバ１１０の概略構成（図４参照），および画像データ保存サービス提供装置１００の機能構成（図５参照）については、上記第１の実施形態と同様であるので、説明を省略する。なお、本実施形態においては、インターネット４を介して互いに接続された画像データ保存サービス提供装置１００と（ショッピングサイトを構成する）ウェブサーバ２００とによって画像データ保存サービス提供システムが実現されている（図１参照）。
【００６４】
図１６は、本実施形態における画像情報テーブル１４６のレイアウト図である。図６に示す上記第１の実施形態における構成と比べて、項目名を「ショッピングサイトアドレス」とする項目が付加されている。この項目のフィールドには、画像データに係る商品を購入することのできるショッピングサイトのインターネット４上におけるアドレス（ＵＲＬ：Uniform Resource Locator）が格納される。
【００６５】
＜２．３  画像データ保存サービス提供装置の動作＞
画像データ保存サービス提供装置１００については、上記第１の実施形態とほぼ同様の動作が行われるので、上記第１の実施形態と異なる点についてのみ説明する。まず、端末装置３００から画像データの追加要求がなされた際については、図１１のステップＳ３１２において、当該画像データおよびその属性データに加えて、当該画像データに係る商品を購入することのできるショッピングサイトのアドレスがデータ記憶部３１２に追加される。また、端末装置３００から画像データの削除要求がなされた際については、図１４のステップＳ５１２において、当該画像データおよびその属性データに加えて、当該画像データに係る商品を購入することのできるショッピングサイトのアドレスがデータ記憶部３１２から削除される。なお、端末装置３００において画像表示領域３３０内の画像データが選択された際の動作については後述する。
【００６６】
＜２．４  ショッピングサイトでの商品の購入に関する各装置の動作＞
次に、ショッピングサイトにおいて商品の購入が行われる際の各装置の動作について説明する。ユーザが商品を購入するための処理は、端末装置３００において画像表示領域３３０内の画像データがユーザによって選択されることによって開始される。なお、画像データを削除する際の選択と区別するため、例えば、商品を購入する際の画像データの選択はマウスの左ボタンのクリックとし、画像データを削除する際の当該画像データの選択はマウスの右ボタンのクリックとする。
【００６７】
図１７は、端末装置３００において画像表示領域３３０内の画像データが選択された際のショッピングサイトのウェブサーバ２００の処理手順を、端末装置３００における処理手順とともに示すフローチャートである。図１８は、端末装置３００において画像表示領域３３０内の画像データが選択された際の画像データ保存サービス提供装置１００の処理手順を、端末装置３００における処理手順とともに示すフローチャートである。
【００６８】
ステップＳ８１０において、端末装置３００で画像表示領域３３０内の画像データがユーザによって選択される。画像データが選択されると、端末装置３００では当該画像データに係る商品を購入することのできるショッピングサイトの画面が表示部に表示されなければならない。ここで、ショッピングサイトのアドレスは、画像データ保存サイトの画像データ保存サービス提供装置１００のデータ記憶部１３２（具体的には画像情報テーブル１４６）に格納されている。そこで、端末装置３００から画像データ保存サイトにショッピングサイトのアドレスを要求する処理が行われる（ステップＳ８１１）。
【００６９】
端末装置３００から画像データ保存サイトにショッピングサイトのアドレス要求がなされると、当該アドレス要求が画像データ保存サービス提供装置１００で受け付けられる（ステップＳ８１２）。画像データ保存サービス提供装置１００は、アドレス要求の受け付け後、端末装置３００で選択された画像データの情報とユーザＩＤとに基づいて、ショッピングサイトのアドレスをデータ記憶部１３２から検索する（ステップＳ８１３）。その後、ステップＳ８１３で検索されたアドレスが画像データ保存サービス提供装置１００から端末装置３００に送信され（ステップＳ８１４）、当該アドレスが端末装置３００で受信される（ステップＳ８１５）。
【００７０】
次に、端末装置３００では、ステップＳ８１５で受信したアドレスのショッピングサイトへのアクセス要求が行われる（ステップＳ８２０）。これにより、ショッピングサイトのウェブサーバ２００では、端末装置３００からのアクセス要求が受け付けられる（ステップＳ７２０）。そして、ウェブサーバ２００では、端末装置３００の表示部にショッピング画面を表示させるための構造記述言語データが生成され（ステップＳ７２２）、当該構造記述言語データが端末装置３００に送信される（ステップＳ７３０）。
【００７１】
ウェブサーバ２００から端末装置３００に構造記述言語データが送られると、端末装置３００では、当該構造記述言語データに基づいて、ショッピング画面が表示部に表示される（ステップＳ８３０）。その後、端末装置３００では、ショッピング画面において商品の購入がなされたか否か（ショッピングが成立したか否か）が判定される（ステップＳ８４０）。ステップＳ８４０での判定の結果、ショッピングが成立したときには、ショッピングが成立した旨の情報が端末装置３００からウェブサーバ２００に送信され、ショッピングが成立したなかったときには、端末装置３００での処理は終了する。
【００７２】
端末装置３００からショッピングサイトにショッピングが成立した旨の情報が送られると、ウェブサーバ２００では、端末装置３００においてショッピングが成立した旨の画面を表示部に表示させるための構造記述言語データが生成され（ステップＳ７４０）、当該構造記述言語データが端末装置３００に送信される（ステップＳ７５０）。
【００７３】
その後、端末装置３００では、ウェブサーバ２００から送られた構造記述言語データに基づいて、ショッピングが成立した旨の画面が表示部に表示される（ステップＳ８５０）。一方、ウェブサーバ２００では、予め定められた規則（例えば、「購入された商品の価格に対して一定の金額を手数料とする」，「商品がひとつ購入される毎に固定の金額を手数料とする。」など）に従い課金処理が行われる（ステップＳ７６０）。この課金処理の具体的な実現方法については、従来より様々な手法が知られているので、特に限定されない。
【００７４】
＜２．５  効果＞
本実施形態によれば、上記第１の実施形態と同様、ユーザは、画像データ保存サイトによって提供される画像表示領域３３０を用いて、複数のショッピングサイトに分散している画像データを１箇所にまとめて保存・閲覧することが可能となる。
【００７５】
また、本実施形態によれば、端末装置３００において、画像表示領域３３０内の画像データが選択されると、当該画像データに係る商品を購入することのできるショッピングサイトの画面が表示される。このため、ユーザは、画像データ保存サイトを基準にして、購入を希望する商品をオンラインで販売しているショッピングサイトにアクセスすることが可能となる。また、端末装置３００の表示部にショッピングサイトの画面が表示された後、ショッピングが成立すると、予め定められた課金処理が行われる。このため、例えば、ショッピングが成立したときにショッピングサイトの提供者から画像データ保存サイトの提供者に手数料が支払われるようにすることができる。これにより、画像データ保存サイトの提供者は、複数のウェブサイトに分散している画像データを１箇所にまとめて保存するサービスを単にユーザに提供するだけでなく、画像データ保存サイトを介したショッピングに基づく収益を得ることが可能となる。
【符号の説明】
【００７６】
４…インターネット
１００…画像データ保存サービス提供装置
１１０…（画像データ保存サイトの）ウェブサーバ
１２０…データベースサーバ
１３１…ユーザＩＤ受信部
１３２…データ記憶部
１３３…データ抽出部
１３４…データ追加部
１３５…データ削除部
１３６…構造記述言語データ生成部
１３７…データ送信部
１４１，１４６…画像情報テーブル
２００…（ショッピングサイトの）ウェブサーバ
３００…端末装置
３３０…画像表示領域
【図１】
2011253287.tif 000003
【図２】
2011253287.tif 000004
【図３】
2011253287.tif 000005
【図４】
2011253287.tif 000006
【図５】
2011253287.tif 000007
【図６】
2011253287.tif 000008
【図７】
2011253287.tif 000009
【図８】
2011253287.tif 000010
【図９】
2011253287.tif 000011
【図１０】
2011253287.tif 000012
【図１１】
2011253287.tif 000013
【図１２】
2011253287.tif 000014
【図１３】
2011253287.tif 000015
【図１４】
2011253287.tif 000016
【図１５】
2011253287.tif 000017
【図１６】
2011253287.tif 000018
【図１７】
2011253287.tif 000019
【図１８】
2011253287.tif 000020